(57)【特許請求の範囲】
【請求項１】
画像読取装置と、
前記画像読取装置で読み取られた画像の画像データに基づいて記録紙に画像を形成する画像形成部と、を備える画像形成装置であって、
前記画像読取装置は、
原稿が載置される原稿台と、
原稿の画像を読み取る原稿読取部と、
前記原稿読取部による読取動作に供する原稿が載置される原稿載置部を備え、前記原稿台の原稿載置面とで原稿を挟む第１姿勢と前記原稿台の原稿載置面とで原稿を挟む状態を解除する第２姿勢とをとり得るように構成された原稿給送部と、
前記原稿給送部の姿勢が前記第１姿勢であるか前記第２姿勢であるかを検出する姿勢検出部と、
前記原稿給送部の原稿載置部に原稿が載置されているか否かを検出する原稿有無検出部と、
画像形成指示を入力するための操作部と、
前記原稿台の原稿載置面に載置されている原稿の画像の読取り及び画像の形成を行うべく前記原稿読取部及び前記画像形成部の動作を制御する第１制御モードと、前記原稿給送部の原稿載置部に載置されている原稿の画像の読取り及び画像の形成を行うべく前記原稿読取部及び前記画像形成部の動作を制御する第２制御モードとを有する動作制御部と
を備え、
前記動作制御部は、前記原稿有無検出部により前記原稿給送部の原稿載置部に原稿が載置されていることが検知されている状態で、前記原稿給送部の姿勢が前記第２姿勢を介して再び前記第１姿勢に設定されたことが前記姿勢検出部により検出されたとき、前記原稿台の原稿載置面に載置されている原稿を今回の読取対象として設定し、前記操作部により前記画像形成指示の入力が受け付けられると、前記第１制御モードで前記原稿読取部及び前記画像形成部の動作を制御して前記原稿台の原稿載置面に載置された原稿に対する読取動作を前記原稿読取部に開始させ、該読取動作と並行して前記原稿給送部の原稿載置部に載置されている原稿を読み取ることなく所定の排出位置に排出させる画像形成装置。
【請求項２】
前記動作制御部は、前記原稿有無検出部により前記原稿給送部の原稿載置部に原稿が載置されていることが検知されていない状態で、前記操作部により前記画像形成指示の入力が受け付けられると、前記第１制御モードで前記原稿読取部及び前記画像形成部の動作を制御する請求項１に記載の画像形成装置。
【発明の詳細な説明】
【技術分野】
【０００１】
本発明は、複合機や複写機などの画像形成装置、特に、自動原稿送り装置を搭載した画像読取装置を備える画像形成装置に関するものである。
【背景技術】
【０００２】
従来、コンタクトガラスに原稿を押し付ける圧板に、自動原稿送り装置（Automatic Document Feeder：以下、ＡＤＦという）を搭載した画像読取装置がある。この種の画像読
取装置においては、例えば、或るユーザがＡＤＦに原稿をセットしたまま該装置から離れている間に、別のユーザが前記ＡＤＦを利用しない利用形態で画像読取装置に読取動作を行わせようとした場合に、前記或るユーザの原稿がＡＤＦ上にセットされていることを見落としたり、或いは、車椅子を利用するユーザなどのように目線の高さの低い人が、ＡＤＦ上に原稿がセットされたままとなっている事に気付かなかったりすることがある。
【０００３】
ここで、画像読取装置が、前記コンタクトガラス上に原稿が載置されていてもＡＤＦ上に原稿が載置されているときにはＡＤＦ上の原稿を優先的に読み取る処理が実施されるように設計されている場合がある。この場合、前述した別のユーザが、前記或るユーザの原稿の存在を見落としたまま自分の原稿について例えばＦＡＸ送信の指示を入力したときに、当該別のユーザ（自分）の原稿について読取動作やＦＡＸ送信処理がなされないで、前記或るユーザの原稿について読取動作やＦＡＸ送信がなされることとなる。
【０００４】
一方、下記特許文献１には、画像形成装置本体に開閉自在に取り付けられた原稿自動給送装置を圧板として用いて原稿載置面上に載置された原稿を複写する圧板モードと、前記原稿自動給送装置の原稿台上に載置された原稿を自動給送して複写する原稿自動給送モードとを有する画像形成装置において、画像形成動作時に前記原稿自動給送装置が開放されていると、当該画像形成動作が前記圧板モードによるものであることを記憶し、一連の当該画像形成動作が終了した後、次回の画像形成動作を開始する際に前記原稿自動給送モードが選択され、且つ、前回の画像形成動作が前記圧板モードによるものであることを記憶していた場合に、前記原稿載置面上に原稿が存在するときには原稿が前記原稿載置面上に存在することを示す情報を表示する点が開示されている。
【０００５】
また、下記特許文献２には、前記原稿を原稿ガラスに押圧する圧板と、原稿ガラスに対する前記圧板の開閉を検出する開閉検出手段とを備え、原稿ガラス上に載置された原稿を露光走査体により走査して原稿の画像を読み取るスキャナにおいて、原稿の画像の読取り終了後において、前記開閉検出手段が圧板の閉状態を検出してから所定時間が経過した場合に、前記露光走査体による走査により原稿の有無を検出し、原稿が存在するときに、原稿ガラス上に原稿を置き忘れていることを示す警告を発する点が開示されている。
【先行技術文献】
【特許文献】
【０００６】
【特許文献１】特開平１−６１７３９号公報
【特許文献２】特開昭６３−１２９７７１号公報
【発明の概要】
【発明が解決しようとする課題】
【０００７】
前記原稿載置面やコンタクトガラス上に原稿が存在するときにその旨を示す情報を表示するという前記特許文献１，２の技術思想をＡＤＦ上に原稿がセットされたままとなっている場合について適用し、ＡＤＦ上に原稿がセットされたままとなっている場合にその旨
を示す情報を表示するという構成が考えられる。
【０００８】
しかしながら、ＡＤＦ上に原稿がセットされたままとなっているときにその旨を示す情報を表示するだけでは、該表示を見逃して所望の操作を入力する可能性があるし、また、仮にユーザがその表示を視認したとしても、該ユーザは、ＡＤＦ上に載置されている他人の原稿をＡＤＦから取り除き、載置できる別の場所を探し、その場所に、ＡＤＦ上に載置されていた他人の原稿を載置するという作業が必要となり、この作業は、特に車椅子を利用するユーザなどのように目線の高さが低い人にとって面倒な作業となる。
【０００９】
本発明は、このような事情に鑑みて為された発明であり、ユーザが、ＡＤＦ上に他のユーザの原稿がセットされているのを見逃したままコンタクトガラスに載置した自分の原稿を画像読取装置に読み取らせようとした場合であっても、できるだけユーザに面倒な作業を課すことなく、ＡＤＦ上の原稿に対する読取動作等が実施されるのをより確実に回避することのできる技術を提供することを目的とする。
【課題を解決するための手段】
【００１０】
請求項１に記載の発明は、画像読取装置と、前記画像読取装置で読み取られた画像の画像データに基づいて記録紙に画像を形成する画像形成部と、を備える画像形成装置であって、前記画像読取装置は、原稿が載置される原稿台と、原稿の画像を読み取る原稿読取部と、前記原稿読取部による読取動作に供する原稿が載置される原稿載置部を備え、前記原稿台の原稿載置面とで原稿を挟む第１姿勢と前記原稿台の原稿載置面とで原稿を挟む状態を解除する第２姿勢とをとり得るように構成された原稿給送部と、前記原稿給送部の姿勢が前記第１姿勢であるか前記第２姿勢であるかを検出する姿勢検出部と、前記原稿給送部の原稿載置部に原稿が載置されているか否かを検出する原稿有無検出部と、前記原稿台の原稿載置面に載置されている原稿の画像の読取り及び画像の形成を行うべく前記原稿読取部及び前記画像形成部の動作を制御する第１制御モードと、前記原稿給送部の原稿載置部に載置されている原稿の画像の読取り及び画像の形成を行うべく前記原稿読取部及び前記画像形成部の動作を制御する第２制御モードとを有する動作制御部と、前記原稿有無検出部により前記原稿給送部の原稿載置部に原稿が載置されていることが検知されている状態で、前記原稿給送部の姿勢が前記第２姿勢を介して再び前記第１姿勢に設定されたことが前記姿勢検出部により検出されたとき、前記原稿台の原稿載置面に原稿が載置されているかによらず、読取対象の原稿を、前記原稿台の原稿載置面に載置されている原稿に設定するか、前記原稿給送部の原稿載置部に載置されている原稿に設定するかの設定の入力を受け付ける入力受付部と、前記原稿有無検出部により前記原稿給送部の原稿載置部に原稿が載置されていることが検知されている状態で、前記原稿給送部の姿勢が前記第２姿勢を介して再び前記第１姿勢に設定されたことが前記姿勢検出部により検出されたとき、読取対象の原稿を、前記原稿台の原稿載置面に載置されている原稿に設定するか、前記原稿給送部の原稿載置部に載置されている原稿に設定するかの設定の入力を要求する要求画面を表示する表示部とを備え、前記入力受付部は、読取対象の原稿を、前記原稿台の原稿載置面に載置されている原稿に設定するか、前記原稿給送部の原稿載置部に載置されている原稿に設定するかの設定の入力を前記要求画面を介して受け付け、前記動作制御部は、前記原稿台の原稿載置面に載置されている原稿を読取対象の原稿に設定する旨の入力が前記入力受付部により受け付けられると、前記原稿台の原稿載置面に載置された原稿を今回の読取対象として設定する画像形成装置である。
【００１１】
この発明によれば、前記原稿有無検出部により前記原稿給送部の原稿載置部に原稿が載置されていることが検知されている状態で、前記原稿給送部の姿勢が前記第２姿勢を介して再び前記第１姿勢に設定されたことが前記姿勢検出部により検出されたとき、読取対象の原稿を、前記原稿台の原稿載置面に載置されている原稿に設定するか、前記原稿給送部の原稿載置部に載置されている原稿に設定するかの設定の入力を受け付けるようにし、前記入力受付部により前記原稿台の原稿載置面に載置されている原稿を読取対象の原稿に設定する入力が受け付けられると、前記原稿台の原稿載置面に載置されている原稿を今回の読取対象として設定するようにしたので、従来のように前記原稿台の原稿載置面に原稿が載置されたままとなっているかを示す情報を表示するだけの構成に比して、今回の読取対象の原稿をユーザに対してより強く認識させることができ、より確実に、前記原稿給送部の原稿載置部に載置されている原稿に対する読取動作が誤って行われるのを防止又は抑制することができる。
【００１２】
また、該ユーザが、前記原稿給送部の原稿載置部に載置されている原稿を原稿給送部の原稿載置部から取り除き、載置できる別の場所を探し、その場所に、原稿給送部（前記ＡＤＦに相当）上に載置されていた他人の原稿を載置するという作業が不要となり、特に車
椅子を利用するユーザなどのように目線の高さが低い人にとっての利便性を向上することができる。
【００１３】
以上のことから、ユーザに面倒な作業をできるだけ課さずに、より確実に、原稿給送部の原稿載置部に載置されている原稿に対する読取動作が誤って行われるのを回避することができる。
【００１４】
上記構成において、画像形成指示を入力するための操作部を備え、前記動作制御部は、前記原稿有無検出部により前記原稿給送部の原稿載置部に原稿が載置されていることが検知されていない状態で、前記操作部により前記画像形成指示の入力が受け付けられると、前記第１制御モードで前記原稿読取部及び前記画像形成部の動作を制御する。
【００１５】
請求項３に記載の発明は、画像読取装置と、前記画像読取装置で読み取られた画像の画像データに基づいて記録紙に画像を形成する画像形成部と、を備える画像形成装置であって、前記画像読取装置は、原稿が載置される原稿台と、原稿の画像を読み取る原稿読取部と、前記原稿読取部による読取動作に供する原稿が載置される原稿載置部を備え、前記原稿台の原稿載置面とで原稿を挟む第１姿勢と前記原稿台の原稿載置面とで原稿を挟む状態を解除する第２姿勢とをとり得るように構成された原稿給送部と、前記原稿給送部の姿勢が前記第１姿勢であるか前記第２姿勢であるかを検出する姿勢検出部と、前記原稿給送部の原稿載置部に原稿が載置されているか否かを検出する原稿有無検出部と、画像形成指示を入力するための操作部と、前記原稿台の原稿載置面に載置されている原稿の画像の読取り及び画像の形成を行うべく前記原稿読取部及び前記画像形成部の動作を制御する第１制御モードと、前記原稿給送部の原稿載置部に載置されている原稿の画像の読取り及び画像の形成を行うべく前記原稿読取部及び前記画像形成部の動作を制御する第２制御モードとを有する動作制御部とを備え、前記動作制御部は、前記原稿有無検出部により前記原稿給送部の原稿載置部に原稿が載置されていることが検知されている状態で、前記原稿給送部の姿勢が前記第２姿勢を介して再び前記第１姿勢に設定されたことが前記姿勢検出部により検出されたとき、前記原稿台の原稿載置面に載置されている原稿を今回の読取対象として設定し、前記操作部により前記画像形成指示の入力が受け付けられると、前記第１制御モードで前記原稿読取部及び前記画像形成部の動作を制御して前記原稿台の原稿載置面に載置された原稿に対する読取動作を前記原稿読取部に開始させ、該読取動作と並行して前記原稿給送部の原稿載置部に載置されている原稿を読み取ることなく所定の排出位置に排出させる画像形成装置である。
【００１６】
この発明によれば、前記原稿有無検出部により前記原稿給送部の原稿載置部に原稿が載置されていることが検知されている状態で、前記原稿給送部の姿勢が前記第２姿勢を介して再び前記第１姿勢に設定されたことが前記姿勢検出部により検出されたとき、前記原稿台の原稿載置面に載置されている原稿を今回の読取対象として設定し、前記操作部により前記実行指示の入力が受け付けられると、前記第１制御モードで前記原稿読取部を含む各部の動作を制御するとともに、前記原稿給送部の原稿載置部に載置されている原稿を所定の排出位置に排出させるようにしたので、確実に、前記原稿給送部の原稿載置部に載置されている原稿に対する読取動作が誤って行われるのを防止することができる。
【００１７】
また、該ユーザが、前記原稿給送部の原稿載置部に載置されている原稿を原稿給送部の原稿載置部から取り除き、載置できる別の場所を探し、その場所に、原稿給送部（前記ＡＤＦに相当）上に載置されていた他人の原稿を載置するという作業が不要となり、特に車椅子を利用するユーザなどのように目線の高さが低い人にとっての利便性を向上することができる。
【００１８】
以上のことから、ユーザに面倒な作業をできるだけ課さずに、より確実に、原稿給送部の原稿載置部に載置されている原稿に対する読取動作が誤って行われるのを回避することができる。上記構成において、前記動作制御部は、前記原稿有無検出部により前記原稿給送部の原稿載置部に原稿が載置されていることが検知されていない状態で、前記操作部により前記画像形成指示の入力が受け付けられると、前記第１制御モードで前記原稿読取部及び前記画像形成部の動作を制御する。
【発明の効果】
【００１９】
本発明によれば、ユーザに面倒な作業をできるだけ課さずに、より確実に、原稿給送部の原稿載置部に載置されている原稿に対する読取動作が行われて処理されるのを回避することができる。
【図面の簡単な説明】
【００２０】
【図１】本発明に係る画像形成装置の一実施形態である複合機の内部構成を示す側面図である。
【図２】複合機の電気的な構成を示すブロック図である。
【図３】開閉センサの外観を示す図である。
【図４】読取対象設定画面の一例を示す図である。
【図５】制御部の読取処理を示すフローチャートである。
【図６】制御部の読取処理の変形形態を示すフローチャートである。
【発明を実施するための形態】
【００２１】
以下、本発明に係る画像形成装置の実施形態について図面を参照しながら説明する。図１は、本発明に係る画像形成装置の一実施形態である複合機の内部構成を示す側面図である。
【００２２】
図１に示すように、複合機１は、コピーモード、プリンタモード、スキャナモード及びファクシミリモード等の各モードを備えており、本体部２と、本体部２の左方に配設されたスタックトレイ３と、本体部２の上部に配設された原稿読取部４と、原稿読取部４の上方に配設された原稿給送部５とを有している。
【００２３】
原稿読取部４は、ＣＣＤ(Charge Coupled Device)センサ及び露光ランプ等からなるス
キャナ部６と、ガラス等の透明部材により構成された原稿台７と、原稿読取スリット８とを備える。スキャナ部６は、図略の駆動部によって移動可能に構成され、原稿台７に載置された原稿を読み取るときは、原稿台７に対向する位置で原稿面に沿って移動され、原稿画像を走査しつつ取得した画像データを図略の画像処理部へ出力する。また、原稿給送部５により給送された原稿を読み取るときは、原稿読取スリット８と対向する位置に移動され、原稿読取スリット８を介して原稿給送部５による原稿の搬送動作と同期して原稿の画像を取得し、その画像データを上記画像処理部へ出力する。
【００２４】
原稿給送部５は、ＡＤＦに相当し、原稿を載置するための原稿載置部９と、画像読み取り済みの原稿を排出するための原稿排出部１０と、原稿載置部９に載置された原稿を１枚ずつ繰り出して原稿読取スリット８に対向する位置へ搬送し、原稿排出部１０へ排出するための給紙ローラ（図略）、搬送ローラ（図略）等からなる原稿搬送機構１１を備える。原稿搬送機構１１は、さらに原稿を表裏反転させて原稿読取スリット８と対向する位置へ再搬送する用紙反転機構（図略）を備え、原稿の両面の画像を、原稿読取スリット８を介してスキャナ部６から読取可能にしている。
【００２５】
原稿給送部５は、その前面側が上方に移動可能となるように本体部２に対して回動自在に設けられている。原稿給送部５の前面側を上方に移動させて原稿台７の上面を開放することにより、該原稿台７の上面に読み取り原稿、例えば見開き状態にされた書籍等を操作者が載置できるようになっている。
【００２６】
本体部２は、複数の給紙カセット１２と、給紙カセット１２から記録紙を１枚ずつ繰り出して後述の画像形成部１４へ搬送する給紙ローラ１３と、給紙カセット１２から搬送されてきた記録紙に画像を形成する画像形成部１４とを備える。
【００２７】
画像形成部１４は、スキャナ部６等で取得された画像データに基づきレーザ等を出力して感光体ドラム１５を露光する光走査装置１６と、感光体ドラム１５の表面に形成された静電潜像を顕像化して画像を形成する現像部１７と、感光体ドラム１５上に形成された画像を記録紙に転写する転写部１８と、画像が転写された記録紙を加熱して該画像を記録紙に定着させる定着部１９と、画像形成部１４内の用紙搬送路中に設けられ、記録紙をスタックトレイ３又は排出トレイ２２まで搬送する搬送ローラ２０，２１等とを備える。
【００２８】
記録紙の両面に画像を形成する場合は、画像形成部１４で記録紙の一方の面に画像を形成した後、この記録紙を排出トレイ２２側の搬送ローラ２０にニップされた状態とする。この状態で搬送ローラ２０を反転させて記録紙をスイッチバックさせ、記録紙を用紙搬送路Ｌに送って画像形成部１４の上流域に再度搬送し、画像形成部１４により他方の面に画像を形成した後、記録紙をスタックトレイ３又は排出トレイ２２に排出する。
【００２９】
複合機１のフロント部には、操作部２３が設けられている。操作部２３には、ユーザが印刷実行指示を入力するためのスタートキー２４と、印刷部数等を入力するためのテンキー２５と、各種複写動作の操作ガイド情報等を表示し、これら各種設定入力用にタッチパネル機能を有する液晶ディスプレイ等からなる表示部２６と、表示部２６で設定された設定内容等をリセットするリセットキー２７と、実行中の印刷（画像形成）動作を停止させるためのストップキー２８と、コピー機能、プリンタ機能、スキャナ機能及びファクシミリ機能を切り換えるための機能切換キー２９とが備えられている。
【００３０】
図２は、複合機１の電気的な構成を示すブロック図である。なお、図１に示す構成と同一の構成については同一の番号を付してその説明を省略する。
【００３１】
図２に示すように、複合機１は、前述した原稿読取部４、原稿給送部５、画像形成部１４及び操作部２３に加えて、通信部３０と、検出部３１と、制御部３２とを備える。通信部３０は、各種のデータをパーソナルコンピュータなどの所定の外部機器Ｘ（図示せず）との間で通信を行うものである。
【００３２】
検出部３１は、原稿載置部９に原稿が載置されているか否かを検出するための原稿センサ３１１と、原稿給送部５が本体部２に対して開閉されているか否かを検出するための開閉センサ３１２とを有する。
【００３３】
原稿センサ３１１は、例えば一対の投受光器を備えてなり、光を検知媒体として原稿載置部９に原稿が載置されているか否かを検出するものである。すなわち、原稿センサ３１１は、前記投光器から光を出力する。ここで、原稿載置部９に原稿が載置されている場合には、該光が原稿により反射される一方、原稿載置部９に原稿が載置されていない場合には、該光が原稿により反射されない。光が原稿により反射されると、その反射光が受光器により受光される。前記受光器は、前記反射光を受光すると受光信号を制御部３２に出力する。
【００３４】
開閉センサ３１２は、例えば図３に示すように、本体部２の上面適所において突出・退避可能に設置されたボタン３１２１と、本体部２の内部に設置されたスイッチ３１２２とを備えて構成されており、原稿給送部５を閉じる操作が行われ、原稿台７の原稿載置面（台面）に対する前記原稿給送部５の傾斜角度が所定角度より小さくなったときに該原稿給送部５が前記ボタン３１２１を下方に押圧し、該ボタン３１２１が下方に移動する。スイ
ッチ３１２２は、前記ボタン３１２１が所定の高さ位置より低い位置まで下降したときにオンし、オン信号を制御部３２に出力する。
【００３５】
制御部３２は、データを一時的に保管する機能や作業領域としての機能を有するＲＡＭ（Random Access Memory）、プログラムを予め記憶するフラッシュメモリ、及び、前記プログラム等をフラッシュメモリから読み出して実行するＣＰＵを備えて構成されており、ＣＰＵとＲＡＭ及びフラッシュメモリとはデータバスを介してデータの授受を行うように構成されている。ＣＰＵは、フラッシュメモリに格納されているプログラムを適宜実行することで、そのプログラムの内容に応じた処理を実行する。
【００３６】
本実施形態の制御部３２は、原稿有無判断部３２１と、開閉判断部３２２と、表示制御部３２３と、入力受付部３２４と、読取制御部３２５と、搬送制御部３２６としての機能を有する。
【００３７】
原稿有無判断部３２１は、原稿センサ３１１から出力される検出信号に基づいて、原稿給送部５に原稿が存在するか否かを判断するものであり、開閉判断部３２２は、開閉センサ３１２から出力される検出信号に基づいて、原稿給送部５が開放されているか閉じられているかを判断するものである。
【００３８】
表示制御部３２３は、原稿有無判断部３２１により原稿載置部９に原稿が載置されているものと判断され、且つ、開閉判断部３２２により原稿給送部５が開閉されたものと判断された場合に、読取対象を、原稿給送部５に載置されている原稿に設定するのか、原稿台７に載置された原稿に設定するのかをユーザに入力させるための画面（以下、読取対象設定画面という）Ｇを表示部２６に表示させるものである。
【００３９】
本実施形態の複合機１は、閉じられていた原稿給送部５が開放された後、再び閉じられた動作が検出された場合は原稿台７上に原稿が載置されたものとみなし、この原稿台７上に載置された原稿を今回の読取対象とするのか、それとも、原稿給送部５に載置されている原稿を今回の読取対象とするのかをユーザに選択させるようにしている。図４に、前記読取対象設定画面Ｇの一例を示す。
【００４０】
図４に示す読取対象設定画面Ｇには、原稿給送部５上と原稿台７上との両方に原稿が載置されている旨と、読取対象を原稿給送部５上の原稿と原稿台７上の原稿とのどちらに設定するかをユーザに尋ねるメッセージＭと、読取対象を原稿台７上の原稿に設定する入力を行うためのボタンＢ１と、読取対象を原稿給送部５（ＡＤＦ）上の原稿に設定する入力を行うためのボタンＢ２とを有する。
【００４１】
入力受付部３２４は、前記ボタンＢ１又はボタンＢ２の操作を受け付けるものである。
【００４２】
読取制御部３２５は、原稿読取部４による読取動作を制御するものであり、本実施形態では、前記読取対象設定画面Ｇにおいて前記ボタンＢ１に対する操作が前記入力受付部３２４により受け付けられた場合には、原稿台７上の原稿を今回の読取対象として設定し、スタートキー２４が操作されると、この原稿台７上の原稿に対する読取動作を原稿読取部４に行わせる。
【００４３】
一方、読取制御部３２５は、前記ボタンＢ２に対する操作が前記入力受付部３２４により受け付けられた場合には、原稿給送部５上の原稿を今回の読取対象として設定し、スタートキー２４が操作されると、この原稿給送部５上の原稿に対する読取動作を原稿読取部４に行わせる。
【００４４】
搬送制御部３２６は、原稿搬送機構１１や搬送ローラ１３，２０，２１など用紙の搬送に関わる部材や機構による搬送動作を制御するものであり、本実施形態では、前記ボタンＢ２に対する操作が前記入力受付部３２４により受け付けられた場合、スタートキー２４が操作されると、前記原稿給送部５上の原稿の搬送動作を原稿給送部５の各部に行わせる。読取制御部３２５及び搬送制御部３２６は、動作制御部を構成する。
【００４５】
図５は、制御部３２の読取処理を示すフローチャートである。
【００４６】
図５に示すように、開閉判断部３２２により原稿給送部５が開放されたものと判断されると（ステップ♯１でＹＥＳ）、原稿有無判断部３２１は、原稿センサ３１１から出力される検出信号に基づいて、原稿給送部５に原稿が存在するか否かを判断する（ステップ♯２）。原稿有無判断部３２１は、原稿給送部５に原稿が存在するものと判断する（ステップ♯２でＹＥＳ）、開閉判断部３２２は、原稿給送部５が閉じられたか否かを判断する（ステップ♯３）。
【００４７】
開閉判断部３２２は、原稿給送部５が閉じられたものと判断すると（ステップ♯３でＹＥＳ）、表示制御部３２３は、例えば図４に示す読取対象設定画面Ｇを表示部２６に表示させる（ステップ♯４）。この読取対象設定画面Ｇにおいて、何れかのボタンＢ１、Ｂ２の操作が行われると、そのボタンに対応する原稿が読取対象として設定される（ステップ♯５）。すなわち、読取制御部３２５は、前記読取対象設定画面Ｇにおいて前記ボタンＢ１に対する操作がなされた場合には、原稿台７上の原稿を今回の読取対象として設定する一方、前記ボタンＢ２に対する操作がなされた場合には、原稿給送部５上の原稿を今回の読取対象として設定する。
【００４８】
そして、制御部３２（読取制御部３２５及び搬送制御部３２６等）は、画像形成指示があったか否かを判断し（ステップ♯６）、画像形成指示があると（ステップ♯６でＹＥＳ）、ステップ♯５で読み取り対象として設定された方の原稿に対する読取動作及び画像形成動作を原稿読取部４や画像形成部１４に実施させる（ステップ♯７）。すなわち、制御部３２（読取制御部３２５及び搬送制御部３２６等）は、ステップ♯５で前記ボタンＢ１が操作された場合には、そのボタンＢ１に対応する原稿台７上の原稿に対する読取動作及び画像形成動作を原稿読取部４や画像形成部１４に実施させる一方、前記ボタンＢ２が操作された場合には、該ボタンＢ２に対応する原稿給送部５上の原稿に対する読取動作及び画像形成動作を原稿読取部４や画像形成部１４に実施させる。
【００４９】
なお、ステップ♯２において、原稿有無判断部３２１が、原稿給送部５に原稿が存在しないと判断した場合において（ステップ♯２でＮＯ）、画像形成指示があったときには（ステップ♯８でＹＥＳ）、制御部３２は、原稿台７上に原稿が載置されているか否かに拘わらず、原稿台７上に原稿が載置されている場合と同様の読取動作や画像形成動作を原稿読取部４や画像形成部１４に実施させる（ステップ♯９）。また、ステップ♯２において、原稿有無判断部３２１が、原稿給送部５に原稿が存在すると判断したが（ステップ♯２でＹＥＳ）、開閉判断部３２２が、原稿給送部５が閉じられていないと判断した場合（ステップ♯３でＮＯ）において、画像形成指示があったときには（ステップ♯８でＹＥＳ）、制御部３２は、原稿給送部５上の原稿に対する読取動作及び画像形成動作を原稿読取部４や画像形成部１４に実施させる（ステップ♯９）。
【００５０】
以上のように、本実施形態では、原稿給送部５が開閉された場合は原稿台７上に原稿が載置されたものとみなし、原稿給送部５と原稿台７との両方に原稿が載置されている場合は、原稿給送部５に載置されている原稿と原稿台７に載置されている原稿とのうちどちらの原稿を今回の読取対象とするかをユーザに選択させるようにしたので、従来のように前記原稿給送部５に原稿が載置されたままとなっているかを示す情報を表示するだけの構成
に比して、今回の読取対象の原稿をユーザにより強く認識させることができ、より確実に、前記原稿給送部５に載置されている原稿に対する読取動作等が行われるのを防止又は抑制することができる。
【００５１】
また、該ユーザが、原稿給送部５上に載置されている他人の原稿を原稿給送部５から取り除き、載置できる別の場所を探し、その場所に、前記原稿給送部５上に載置されていた他人の原稿を載置するという作業が不要となり、特に車椅子を利用するユーザなどのように目線の高さが低い人にとっての利便性を向上することができる。
【００５２】
以上のことから、ユーザに面倒な作業をできるだけ課さずに、より確実に、原稿給送部５の原稿に対する読取動作が誤って行われるのを回避することができる。
【００５３】
本件は、前記実施形態に代えて、或いは前記実施形態に加えて、次のような変形形態も採用可能である。
【００５４】
（１）前記第１の実施形態においては、原稿給送部５と原稿台７との両方に原稿が載置されているものと判断される場合は、原稿給送部５に載置されている原稿と原稿台７に載置されている原稿とのうちどちらの原稿を今回の読取対象とするかをユーザに選択させるようにしたが、このような選択をユーザに行わせないで、スタートキー２４が操作されると、読取制御部３２５は、原稿台７上の原稿に対する読取動作を前記原稿読取部４に開始させ、該読取動作と並行して、搬送制御部３２６は、前記原稿給送部５の原稿載置部９に載置されている原稿を別の場所、ここでは原稿排出部１０に排出させる動作を原稿搬送機構１１に行わせるようにしてもよい。
【００５５】
図６は、本実施形態における制御部３２の読取処理を示すフローチャートである。
【００５６】
図６に示すように、開閉判断部３２２により原稿給送部５が開放されたものと判断されると（ステップ♯１１でＹＥＳ）、原稿有無判断部３２１は、原稿センサ３１１から出力される検出信号に基づいて、原稿給送部５に原稿が存在するか否かを判断する（ステップ♯１２）。原稿有無判断部３２１は、原稿給送部５に原稿が存在するものと判断すると（ステップ♯１２でＹＥＳ）、開閉判断部３２２は、原稿給送部５が閉じられたか否かを判断する（ステップ♯１３）。
【００５７】
開閉判断部３２２は、原稿給送部５が閉じられたものと判断すると（ステップ♯１３でＹＥＳ）、制御部５２（読取制御部３２５及び搬送制御部３２６等）は、画像形成指示があるまで待機し（ステップ♯１４でＮＯ）、画像形成指示があると（ステップ♯１４でＹＥＳ）、原稿台７上の原稿に対する読取動作及び画像形成動作を原稿読取部４や画像形成部１４に実施させ（ステップ♯１５）、また、原稿給送部５の原稿載置部９に載置されている原稿を原稿排出部１０に排出する動作を原稿搬送機構１１に実施させる。
【００５８】
なお、ステップ♯１２において、原稿有無判断部３２１が、原稿給送部５に原稿が存在しないと判断した場合において（ステップ♯１２でＮＯ）、画像形成指示があったとき（ステップ♯１４でＹＥＳ）や、ステップ♯１２において、原稿有無判断部３２１が、原稿給送部５に原稿が存在すると判断したが（ステップ♯１２でＹＥＳ）、開閉判断部３２２が、原稿給送部５が閉じられていないと判断した場合（ステップ♯１３でＮＯ）には、画像形成指示があると（ステップ♯１４でＹＥＳ）、前記第１の実施形態と同様の処理（図５に示すフローチャートのステップ♯８，♯９の処理）を実施する（ステップ♯１７，♯１８）。
【００５９】
このように、本実施形態では、誤った読取動作が行われないように前記原稿給送部５の
原稿載置部９に載置されている原稿を移動させるため、確実に、前記原稿給送部の原稿載置部に載置されている原稿に対する読取動作が誤って実施されるのを防止することができる。
【００６０】
また、前記第１の実施形態のように、原稿給送部５に載置されている原稿と原稿台７に載置されている原稿とのうちどちらの原稿を今回の読取対象とするかをユーザに選択させる作業も省くことができる。
【符号の説明】
【００６１】
１    複合機
２    本体部
４    原稿読取部
５    原稿給送部
６    スキャナ部
７    原稿台
９    原稿載置部
２４  スタートキー
２６  表示部
３１  検出部
３１１  原稿センサ
３１２  開閉センサ
３２  制御部
３２１  原稿有無判断部
３２２  開閉判断部
３２３  表示制御部
３２４  入力受付部
３２５  読取制御部
３２６  搬送制御部
【図１】
0005608720.tif 000002
【図２】
0005608720.tif 000003
【図３】
0005608720.tif 000004
【図４】
0005608720.tif 000005
【図５】
0005608720.tif 000006
【図６】
0005608720.tif 000007